(57)【要約】【課題】フリッカなどの表示不具合の発生を抑制すること。【解決手段】電気光学装置１は、対向電極電位Ｃomを第１の現象（フィールドスルー）の補正電圧分あらかじめシフトした値に設定するとともに、１フレームの期間長における第１および第２フィールドの期間長の割合を、指定値Ｑの値に応じて調整する駆動方法を行う。これにより、指定値Ｑが「−１」の場合、正極性の保持時間が、負極性の保持時間よりも短くなり、負極性の電圧実効値が正極性の電圧実効値を上回ることになる。よって、フリッカ、または表示画像の焼き付き等の表示不具合を抑制することができる。【選択図】図１０
2010079151.tif 000002
【特許請求の範囲】
【請求項１】
複数の走査線と複数のデータ線と、前記走査線と前記データ線との交点に対応して設けられたスイッチングトランジスタおよび画素電極と、前記画素電極と対向する対向電極と、前記画素電極と前記対向電極との間に挟持された電気光学層とを、備えた電気光学装置の駆動方法であって、
前記対向電極に印加される対向電極電位を基準として高位の電圧を正極性、低位の電圧を負極性としたときに、前記画素電極に対して、前記データ線を介して前記正極性の電圧と前記負極性の電圧とが交互に現れるデータ信号を供給し、
前記対向電極電位は、前記スイッチングトランジスタの寄生容量に起因するフリッカを低減するように設定され、
第１の期間と第２の期間とからなる所定の期間において、
前記第１の期間では、前記正極性または前記負極性のうち、いずれか一方の極性の電圧である第１電圧が前記画素電極に供給され、
前記第２の期間では、前記第１電圧とは異なる極性の第２電圧が前記画素電極に供給され、
前記所定の期間における前記第１の期間の長さと、前記第２の期間の長さとの割合を可変としたことを特徴とする電気光学装置の駆動方法。
【請求項２】
前記所定の期間は、１フレームに相当し、
前記１フレームは、第１フィールドと、第２フィールドとから構成され、
前記第１フィールドは前記第１の期間に相当し、
前記第２フィールドは前記第２の期間に相当することを特徴とする請求項１に記載の電気光学装置の駆動方法。
【請求項３】
前記第１フィールド、または前記第２フィールドのいずれかにおいて、
所定の階調を表す第３電圧を前記データ信号として前記データ線に所定の期間供給することにより、前記１フレームにおける前記第１および第２フィールドの期間長の割合を調整することを特徴とする請求項２に記載の電気光学装置の駆動方法。
【請求項４】
前記第３電圧は、黒表示に相当する階調の電圧であることを特徴とする請求項３に記載の電気光学装置の駆動方法。
【請求項５】
前記走査線がＮ本設けられ、１番目の前記走査線乃至Ｍ番目の前記走査線までを第１走査線群とし、Ｍ＋１番目の前記走査線乃至Ｎ番目の前記走査線までを第２走査線群としたとき、
前記１フレームに渡って、前記第１走査線群におけるいずれか１本の走査線と前記第２走査線群におけるいずれか１本とが交互に選択され、
前記第１フィールドでは、前記第１走査線群に対応した前記画素電極には前記第１電圧が印加され、前記第２走査線群に対応した前記画素電極には前記第２電圧が印加され、
前記第２フィールドでは、前記第１走査線群に対応した前記画素電極には前記第２電圧が印加され、前記第２走査線群に対応した前記画素電極には前記第１電圧が印加されるように駆動されることを特徴とする請求項１〜４のいずれか一項に記載の電気光学装置の駆動方法。
【請求項６】
前記所定の期間は、連続した２つ以上のフレームからなる複数フレームに相当し、
前記所定の期間における、前記正極性の電圧が印加される期間長と、前記負極性の電圧が印加される期間長との割合を可変としたことを特徴とする請求項１に記載の電気光学装置の駆動方法。
【請求項７】
複数の走査線と複数のデータ線と、前記走査線と前記データ線との交点に対応して設けられたスイッチングトランジスタおよび画素電極と、前記画素電極と対向する対向電極と、前記画素電極と前記対向電極との間に挟持された電気光学層とを、備えた電気光学装置であって、
前記対向電極に印加される対向電極電位を基準として高位の電圧を正極性、低位の電圧を負極性としたときに、前記画素電極に対して、前記データ線を介して前記正極性の電圧と前記負極性の電圧とが交互に現れるデータ信号を供給し、
前記対向電極には、前記スイッチングトランジスタの寄生容量に起因するフリッカを低減するように設定された対向電極電位を供給し、
第１の期間と第２の期間とからなる所定の期間において、
前記第１の期間では、前記正極性または前記負極性のうち、いずれか一方の極性の電圧である第１電圧を前記画素電極に供給し、
前記第２の期間では、前記第１電圧とは異なる極性の第２電圧を前記画素電極に供給し、
前記所定の期間における前記第１の期間の長さと、前記第２の期間の長さとの割合を調整する制御回路を、さらに備えることを特徴とする電気光学装置。
【請求項８】
請求項７に記載の電気光学装置を備えることを特徴とする電子機器。
【発明の詳細な説明】
【技術分野】
【０００１】
本発明は、電気光学装置、その駆動方法、および当該電気光学装置を備えた電子機器に関する。
【背景技術】
【０００２】
電気光学装置の一例として、液晶表示装置について説明する。
一般的に、画素電極を薄膜トランジスタ（Thin Film Transistor：以下「ＴＦＴ」という）により駆動するアクティブマトリクス型の液晶表示装置では、フリッカや、表示画像の焼き付き等の表示不具合を防止するために、例えば、各画素電極に印加される駆動電圧の極性を、走査線やデータ線ごと、または、画像信号におけるフレームごとに反転させる反転駆動（交流駆動）が採用されていた。
これは、反転駆動によって液晶層へ直流電圧成分が印加されることや、基板間における電荷の偏りを防止し、フリッカ等の表示不具合を解消しようとしたものであったが、単純に反転駆動を行うだけでは、直流電圧成分の印加は完全には解決されず、依然として表示不具合が発生していた。
【０００３】
つまり、反転駆動を行ったとしても、液晶層への直流電圧成分の印加や、電荷の偏りが発生しており、これらに対して対策を講ずる必要があった。また、表示不具合の発生源としては、下記の２つの現象が知られていた。
まず、第１の現象は、いわゆるフィールドスルー（プッシュダウン、突き抜けとも呼ばれる）現象であり、ＴＦＴのゲート・ドレイン端子間、およびソース・ドレイン端子間の寄生容量に起因して、オンからオフ状態に切換るときに、ドレイン端子と接続された画素電極の電圧が低下してしまう現象である。具体的には、寄生容量および蓄積容量に蓄積された電荷が、ＴＦＴのオフのタイミングで、再分配されることによる画素電極の電圧低下現象である。
第２の現象は、液晶層を挟持する素子基板と対向基板との特性差に起因した直流電圧成分である。より詳しくは、画素電極やＴＦＴなどが形成された素子基板と、対向電極が形成された対向基板とにおいて、それぞれの電気的特性が非対称であることによって、電荷の偏りが生じるためである。
【０００４】
特許文献１には、上述した２つの現象に着目した液晶表示装置の駆動方法が提案されている。
当該駆動方法では、反転駆動における極性反転の基準となる対向電極電位を、あらかじめ第１の現象（フィールドスルー）および第２の現象（素子基板と対向基板の電気的特性差）による影響を補正するようにシフトさせることを提案している。
詳しくは、初期段階において第１の現象による電圧変動分と、第２の現象による電圧変動分とを、所定の計測条件により計測し、それらを加算した値を一定の補正電圧として、対向電極の設定電位に加味していた。
【０００５】
【特許文献１】特開２００２−１８９４６０号公報
【発明の開示】
【発明が解決しようとする課題】
【０００６】
図２７は、第２の現象における補正電圧と駆動電圧との関係を示したグラフである。
しかしながら、発明者等の実験データによれば、第２の現象における補正電圧と駆動電圧との間には相関関係があるため、特許文献１における従来の駆動方法では、フリッカ、または表示画像の焼き付き等の表示不具合が発生してしまうという課題があった。
図２７は、発明者等が実験により計測したグラフの一例であり、駆動電圧（横軸）と、補正電圧（縦軸）との相関関係を示している。
ここで、駆動電圧が１０Ｖにおける補正電圧は−０．１Ｖであるが、５Ｖにおける補正電圧は−０．０５Ｖとなり、０Ｖでは補正電圧も０Ｖとなっている。
つまり、第２の現象において、補正電圧は、駆動電圧の大きさ（振幅）に応じて変化している。また、駆動電圧は、表示階調に応じて変化するため、ピーク電圧が７Ｖの駆動電圧であった場合、補正電圧は、表示コンテンツにもよるが、表示期間において約−０．０７Ｖ〜０Ｖの間で変化する可能性がある。
また、図２７のグラフの傾きは、ピーク電圧が異なる駆動電圧にも適応することができる。例えば、１５Ｖピークの駆動電圧の場合、ピーク電圧１５Ｖにおける補正電圧は−０．１５Ｖ（-0.1×1.5）となる。
【０００７】
ここで、従来技術において、第１の現象の補正分−０．０１Ｖと第２の現象の補正分−０．０３Ｖとを加えた−０．０４Ｖを一定の補正電圧として対向電極電位を設定していた場合を考えてみる。
まず、駆動電圧が０Ｖであった場合、第２の現象の補正電圧は０Ｖであるにも係らず、−０．０４Ｖの補正がなされているため、第２の現象の補正分−０．０３Ｖが直流電圧成分となって印加されてしまう。
また、駆動電圧が７Ｖの場合であった場合、第２の現象の補正電圧は−０．０７Ｖであるにも係らず、第２の現象への補正分は−０．０３Ｖであるため、その差分−０．０４Ｖが直流電圧成分となって印加されてしまう。なお、第１の現象については、相殺されたものとしている。
このように、第１の現象および第２の現象に起因する直流電圧成分を一定の補正電圧値によって賄っていた従来の駆動方法では、液晶層へ直流電圧成分が印加されてしまい、フリッカなどの表示不具合が発生してしまうという課題があった。
【０００８】
また、従来の駆動方法では、第１の現象および第２の現象による電圧変化分を加算した補正電圧を対向電極電位に加えていたが、第１の現象の補正電圧に対して第２の現象の補正電圧がある程度の大きさを持つ場合には、対向電極電位が正負のいずれかに大きくシフトしてしまい、表示不具合の発生要因の一つとなっていた。
詳しくは、第２の現象に対する補正電圧が大きいと、駆動電圧の正負における振幅差が大きくなり、そのために、フリッカなどの表示不具合が発生してしまうという課題があった。
【課題を解決するための手段】
【０００９】
本発明は、上記課題の少なくとも一部を解決するためになされたものであり、以下の適用例又は形態として実現することが可能である。
【００１０】
《適用例》
複数の走査線と複数のデータ線と、走査線とデータ線との交点に設けられたスイッチングトランジスタおよび画素電極と、画素電極と対向する対向電極と、画素電極と対向電極との間に挟持された電気光学層とを、備えた電気光学装置の駆動方法であって、対向電極に印加される対向電極電位を基準として高位の電圧を正極性、低位の電圧を負極性としたときに、画素電極に対して、データ線を介して正極性の電圧と負極性の電圧とが交互に現れるデータ信号を供給し、対向電極電位は、スイッチングトランジスタの寄生容量に起因するフリッカを低減するように設定され、第１の期間と第２の期間とからなる所定の期間において、第１の期間では、正極性または負極性のうち、いずれか一方の極性の電圧である第１電圧が画素電極に供給され、第２の期間では、第１電圧とは異なる極性の第２電圧が画素電極に供給され、所定の期間における第１の期間の長さと、第２の期間の長さとの割合を可変としたことを特徴とする電気光学装置の駆動方法。
【００１１】
この駆動方法によれば、まず、対向電極電位がスイッチングトランジスタの寄生容量に起因するフリッカを低減するようにあらかじめシフトして設定されているため、第１の現象についての補正が盛り込まれている。
発明者等の実験データからの知見によれば、第１の現象についても駆動電圧との相関性は認められるものの、第２の現象と比べてその影響度合いは小さいことが解っている。また、第２の現象の場合、図２７に示したように、駆動電圧が０Ｖのときは補正電圧も０Ｖとなるが、第１の現象の場合においては０Ｖとならず、一定の補正電圧が必要となる。
このため、第１の現象の補正方法としては、駆動電圧に係らず一定の補正電圧を掛けることが好ましい。
【００１２】
さらに、１フレームの期間長における第１および第２フィールドの期間長の割合を可変としたことにより、１フレーム内で印加される負極性および正極性の割合を調整することができる。
つまり、第２の現象に対する補正を、その特性差による直流電圧成分の方向および大きさに応じて、第１および第２フィールドの期間長の割合を調整することにより行うことができる。
さらに、あらかじめ設定された対向電極電位のシフト量は、第１の現象による直流電圧成分の印加に対する補正電圧分のみであるため、液晶層への直流電圧成分の印加を抑制することができる。
従って、従来の駆動方法と比べて、フリッカ、または表示画像の焼き付き等の表示不具合を抑制することができる電気光学装置の駆動方法を提供することができる。
【００１３】
また、所定の期間は、１フレームに相当し、１フレームは、第１フィールドと、第２フィールドとから構成され、第１フィールドは第１の期間に相当し、第２フィールドは第２の期間に相当することが好ましい。
また、第１フィールド、または第２フィールドのいずれかにおいて、所定の階調を表す第３電圧をデータ信号としてデータ線に所定の期間供給することにより、１フレームにおける第１および第２フィールドの期間長の割合を調整することが好ましい。
また、第３電圧は、黒表示に相当する階調の電圧であることが好ましい。
【００１４】
また、走査線がＮ本設けられ、１番目の走査線乃至Ｍ番目の走査線までを第１走査線群とし、Ｍ＋１番目の走査線乃至Ｎ番目の走査線までを第２走査線群としたとき、１フレームに渡って、第１走査線群におけるいずれか１本の走査線と第２走査線群におけるいずれか１本とが交互に選択され、第１フィールドでは、第１走査線群に対応した画素電極には第１電圧が印加され、第２走査線群に対応した画素電極には第２電圧が印加され、第２フィールドでは、第１走査線群に対応した画素電極には第２電圧が印加され、第２走査線群に対応した画素電極には第１電圧が印加されるように駆動されることが好ましい。
また、所定の期間は、連続した２つ以上のフレームからなる複数フレームに相当し、所定の期間における、正極性の電圧が印加される期間長と、負極性の電圧が印加される期間長との割合を可変とすることが好ましい。
【００１５】
複数の走査線と複数のデータ線と、走査線とデータ線との交点に対応して設けられたスイッチングトランジスタおよび画素電極と、画素電極と対向する対向電極と、画素電極と対向電極との間に挟持された電気光学層とを、備えた電気光学装置であって、対向電極に印加される対向電極電位を基準として高位の電圧を正極性、低位の電圧を負極性としたときに、画素電極に対して、データ線を介して正極性の電圧と負極性の電圧とが交互に現れるデータ信号を供給し、対向電極には、スイッチングトランジスタの寄生容量に起因するフリッカを低減するように設定された対向電極電位を供給し、第１の期間と第２の期間とからなる所定の期間において、第１の期間では、正極性または負極性のうち、いずれか一方の極性の電圧である第１電圧を画素電極に供給し、第２の期間では、第１電圧とは異なる極性の第２電圧を画素電極に供給し、所定の期間における第１の期間の長さと、第２の期間の長さとの割合を調整する制御回路を、さらに備えることを特徴とする電気光学装置。
【００１６】
上記記載の電気光学装置を備えることを特徴とする電子機器。
【発明を実施するための最良の形態】
【００１７】
以下、本発明の実施形態について、図面を参照して説明する。なお、以下の各図においては、各層や各部材を図面上で認識可能な程度の大きさとするため、各層や各部材毎に縮尺を異ならしめてある。
【００１８】
（実施形態１）
《電気装置の概略構成》
図１は、本実施形態に係る電気光学装置の概略構成図である。
まず、本発明の実施形態１に係る電気光学装置１の概要構成について、図１を用いて説明する。
【００１９】
電気光学装置１は、表示パネル１０、処理回路５０、電圧生成回路６０、操作子７０などから構成されている。
表示パネル１０は、透過式のアクティブマトリクス型の液晶パネルである。なお、詳しい構成は後述する。
処理回路５０は、制御回路５２および表示データ処理回路５６を含み、データ信号Ｖidの出力に合わせて表示パネル１０の動作等を制御する回路モジュールであり、表示パネル１０とは、例えばＦＰＣ（Flexible Printed Circuit）基板によって接続されている。
【００２０】
制御回路５２には、タイミング信号発生回路５３が内蔵されており、また、タイミング信号発生回路５３には、クロック発生回路５４が附属している。
クロック発生回路５４は、各部の制御動作の基準となるクロック信号を生成してタイミング信号発生回路５３に出力する。
タイミング信号発生回路５３は、外部装置（図示省略）から供給される垂直同期信号Ｖｓ、水平同期信号Ｈｓおよびドットクロック信号Ｄclkに同期して表示パネル１０を制御するための各種の制御信号を生成する。
制御回路５２は、タイミング信号発生回路５３、および後述する表示データ処理回路５６、電圧生成回路６０などを制御する。
電圧生成回路６０は、ＤＣ／ＤＣコンバータなどを含んで構成され、外部装置から供給される直流電力から、各部で使用する複数の直流電圧を生成する。また、電圧生成回路６０は、表示パネル１０の対向電極に印加される対向電極電位Ｃomを生成し、表示パネル１０に供給する。
【００２１】
操作子７０は、例えばユーザ等により操作され、その操作に応じた指定値Ｑを例えば「＋１０」から「−１０」までの範囲で出力するものである。詳しくは、例えば、電子機器などに搭載された場合には、その操作パネルや、リモコンなどの操作部によって、操作可能に設けられている。なお、この指定値Ｑにより、後述するようにスタートパルスＤybの出力タイミングを前後に移動させるようになっている。
表示データ処理回路５６には、フレームメモリ５７およびＤＡコンバータ５８が附属している。
表示データ処理回路５６は、外部装置から供給される表示データＶideoを、制御回路５２による制御に従ってフレームメモリ５７に記憶した後、表示パネル１０の駆動に同期して読み出すとともに、ＤＡコンバータ５８によってアナログのデータ信号Ｖid（駆動電圧）に変換する。
なお、表示データＶideoは、表示パネル１０における画素の階調を規定しており、垂直同期信号Ｖｓの供給タイミングを契機として１フレーム分供給されるとともに、水平同期信号Ｈｓの供給タイミングを契機として１行分供給される。
【００２２】
ここで、本実施形態における垂直同期信号Ｖｓは、周波数６０Ｈｚ（周期１６．７ミリ秒）とするが、これに限定するものではない。また、ドットクロック信号Ｄclkについては、表示データＶideoのうち、１画素分が供給される期間を規定するものとする。
つまり、制御回路５２は、表示データＶideoの供給に同期して各部を制御している。
【００２３】
《表示パネルの構成》
図２は、表示パネル１０の構成を示す図である。図３は、画素の等価回路図である。
次に、表示パネル１０の構成について説明する。
図２に示されるように、表示パネル１０は、表示領域１００の周辺に走査線駆動回路１３０およびデータ線駆動回路１４０を内蔵した構成となっている。
表示領域１００には、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられている。
また、４８０行の走査線１１２と６４０列のデータ線１１４との交差に対応して、複数の画素１１０が形成されている。換言すれば、複数の画素１１０が、縦４８０行×横６４０列のマトリクス状に配列されている。
なお、本実施形態では、説明を容易にするために、解像度をＶＧＡ（Video Graphics Array）としているが、これに限定するものではなく、例えば、ＸＧＡ（eXtended Graphics Array）や、ＳＸＧＡ（Super-XGA）などの解像度であっても良い。
【００２４】
図３は、ｉ行及びこれと１行下で隣接する（ｉ＋１）行と、ｊ列及びこれと１列右で隣接する（ｊ＋１）列との交差に対応する２×２の計４画素分の構成を示している。
なお、ｉ、（ｉ＋１）は、画素１１０が配列する行を示しており、ここでは、１以上４８０以下の整数となる。また、ｊ、（ｊ＋１）は、画素１１０が配列する列を示しており、ここでは、１以上６４０以下の整数となる。
複数の画素１１０の各々は、ｎチャネル型のＴＦＴ１１６と液晶容量１２０とを含んで構成されている。
【００２５】
ここで、各画素１１０については互いに同一構成なので、ｉ行ｊ列に位置する画素１１０で代表して説明する。
当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。
また、液晶容量１２０の他端は、対向電極１０８に接続されている。この対向電極１０８は、全ての画素１１０に渡って共通であって、時間的に一定の対向電極電位Ｃomが印加されている。なお、詳しくは後述するが、対向電極電位Ｃomは、前述した第１の現象における直流電圧成分を補償するための補正電圧分、基準値からシフトされた値となっている。
【００２６】
表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。
このため、液晶容量１２０は、画素電極１１８と対向電極１０８とが液晶１０５を挟持することによって構成されている。
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されているものとする。
【００２７】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素に渡って容量線１０７に共通接続されている。この容量線１０７は、時間的に一定の電位、例えば対向電極１０８と同じ対向電極電圧Ｃomに保たれている。
【００２８】
図２に戻る。
走査線駆動回路１３０は、走査信号Ｇ１、Ｇ２、Ｇ３、…、Ｇ４８０を、それぞれ１、２、３、…、４８０行目の走査線１１２に供給するものである。走査線駆動回路１３０は、選択した走査線への走査信号を電圧Ｖddに相当するＨレベルとし、それ以外の走査線への走査信号を非選択電圧（接地電位Ｇnd）に相当するＬレベルとする。
データ線駆動回路１４０は、サンプリング信号出力回路１４２と、各データ線１１４にそれぞれ対応して設けられたｎチャネル型のＴＦＴ１４６とによって構成される。データ線駆動回路１４０は、詳細は後述するが、選択された走査線における各画素に当該画素の階調を規定するデータ信号（駆動電圧）を供給する。
【００２９】
《駆動方法１：走査線系》
まず、以下説明する駆動方法を創出した経緯について図２７を用いて説明する。
第１の現象は、前述したとおり、フィールドスルー現象による電圧低下であり、これは電圧低下分に相当する直流電圧を補償することにより補正できる。
これに対して第２の現象は、画素電極基板と対向電極基板の電気的な特性差により生じる電荷の偏りである。これを補償するためには、電荷の偏りを打ち消すだけの余分な直流電圧の印加が必要となる。
さらに、前述した通り、発明者等は、第２の現象における補正電圧は、図２７に示されるように、駆動電圧との相関性があることを見出した。
発明者等は、これらの実験データからの知見に基づき熟慮した結果、第１の現象に対する補正と、第２の現象に対する補正とを切り分けて補正するのが効果的であることに想到した。
つまり、第１の現象の補正方法としては駆動電圧に係らず一定の補正電圧を掛けるとともに、第２の現象に対する補正方法としては、その特性差による直流電圧成分の方向および大きさ応じて、正極性および負極性が保持される期間長の割合を調整する方法である。
以下説明する各実施形態の駆動方法は、発明者らが想到内容を具体的に実現するために熟慮および創意工夫の上創出したものである。
【００３０】
図４は、指定値が「０」のときの走査信号系のタイミングチャートである。図５は指定値が「−１」のときの走査信号系のタイミングチャート、図６は指定値が「＋１」のときの走査信号系のタイミングチャートである。
ここでは、本実施形態の電気光学装置における駆動方法について図４〜６を中心に、適宜図１〜３を交えて具体的に説明する。
また、本実施形態では、複数の走査線を第１走査線群と第２走査線群に分けて、１つのフレームにおいて、第１走査線群におけるいずれか１本の走査線と、第２走査線群におけるいずれか１本とを交互に選択するとともに、１つのフレームにおいて各走査線を２回ずつ選択する、いわゆる倍速領域走査反転駆動を用いている。
【００３１】
まず、走査線の駆動方法について説明する。
図４は、走査線駆動回路１３０により出力される走査信号Ｇ１〜Ｇ４８０を、スタートパルスＤya、Ｄybとクロック信号Ｃlyとの関係において示すタイミングチャートである。
図４において、フレームとは、１枚の画像を表示パネル１０に表示させるのに要する期間をいう。また、１フレームの期間のうち、スタートパルスＤyaが出力されてからスタートパルスＤybが出力されるまでの期間を第１フィールドとし、スタートパルスＤybが出力されてから次のスタートパルスＤyaが出力されるまでの期間を第２フィールドとしている。また、１つの走査線１１２は、１フレームの期間において、フィールドごとに１回ずつ、つまり、２回選択されている。
本実施形態における垂直同期信号Ｖｓは、上述したように周波数６０Ｈｚであるので、１フレームの期間についても１６．７ミリ秒で固定である。制御回路５２（図１）は、デューティ比が５０％のクロック信号Ｃlyを、１フレームの期間に渡って走査線数に等しい４８０周期分出力する。なお、クロック信号Ｃlyの１周期分の期間をＨと表記している。
【００３２】
また、制御回路５２は、クロック信号Ｃlyの１周期分のパルス幅を有するスタートパルスＤya、Ｄybを、それぞれクロック信号ＣlyがＨレベルの立ち上がり時において、それぞれ次のように出力する。
すなわち、制御回路５２は、スタートパルスＤyaを１フレームの期間の最初（第１フィールドの最初）に出力する一方、スタートパルスＤybを、操作子７０による指定値Ｑが「０」であれば、スタートパルスＤybを出力してからクロック信号Ｃlyの２４０周期分を出力した（すなわち、１フレームの半分期間が経過した）タイミングＴで出力する。
また、指定値Ｑが負の値であれば、タイミングＴよりも「−Ｑ×Ｈ」分だけ早く出力し、指定値Ｑが正の値であれば、タイミングＴよりも「Ｑ×Ｈ」分だけ遅れて出力する。
【００３３】
よって、図５に示されるように、例えば、指定値Ｑが「−１」であった場合、スタートパルスＤybは、タイミングＴよりもクロック信号Ｃlyの１周期分だけ先行したタイミングＴ(-1)で出力される。
また、図６に示されるように、指定値Ｑが「＋１」であった場合、スタートパルスＤybは、タイミングＴよりもクロック信号Ｃlyの１周期分だけ遅延したタイミングＴ(+1)で出力される。
ここで、スタートパルスＤya、Ｄybは交互に出力される一方、スタートパルスＤyaの出力タイミングは、指定値Ｑにかかわらず変更されない。このため、１フレーム（１６．７ミリ秒）毎に出力されるスタートパルスＤyaを特定すると、必然的に第２フィールドの開始を規定するスタートパルスＤybも特定することができる。このため、図１や、図４〜６においては、スタートパルスＤya、Ｄybの両者を区別することなく、スタートパルスＤｙとして表記している。
【００３４】
走査線駆動回路１３０は、このようなスタートパルスＤya、Ｄybおよびクロック信号Ｃlyから、次のような走査信号Ｇ１〜Ｇ４８０を出力する。
すなわち、走査線駆動回路１３０は、スタートパルスＤyaが供給されると、クロック信号ＣlyがＬレベルに変化するごとに走査信号Ｇ１〜Ｇ４８０を順次Ｈレベルとする一方、スタートパルスＤybが供給されると、クロック信号ＣlyがＨレベルに変化するごとに走査信号Ｇ１〜Ｇ４８０を順次Ｈレベルとする。
スタートパルスＤyaは、１フレームの期間（第１フィールド）の最初に供給されるので、当該スタートパルスＤyaの供給を契機とする走査線の選択は指定値Ｑによって変化しない。
また、当該スタートパルスＤyaの供給を契機とする走査線の選択は、クロック信号ＣlyがＬレベルである期間に実行されるので、第１および第２フィールドに渡って１行目の走査線を開始点として画面下方向に向って２、３、４、…、４８０行目の順番でクロック信号Ｃlyの半周期の期間をおいて実行されることになる。
【００３５】
一方、スタートパルスＤybは、第２フィールドの最初に供給されるので、当該スタートパルスＤybを契機とする走査線の選択は、指定値Ｑによって全体的に前後することになる。すなわち、当該スタートパルスＤybの供給を契機とする走査線の選択は、クロック信号ＣlyがＨレベルである期間に実行されるので、あるフレームの第２フィールドから次フレームの第１フィールドに渡って１行目の走査線を開始点として画面下方向に向って２、３、４、…、４８０行目の順番で、スタートパルスＤyaの供給を契機とする選択の合間にて実行されることになる。
つまり、あるフレームの第２フィールドにおける１〜２４０行目の選択は、例えば指定値Ｑが「−１」であれば、図５に示されるようにタイミングＴよりもクロック信号Ｃlyの１周期分だけで全体的に先行し、また、指定値Ｑが「＋１」であれば、図６に示されるようにタイミングＴよりもクロック信号Ｃlyの１周期分だけで全体的に遅延した関係となる。
【００３６】
《駆動方法２：データ線系》
図７は、データ信号系の第１フィールドにおけるタイミングチャートである。図８は、データ信号系の第２フィールドにおけるタイミングチャートである。
続いて、データ線の駆動方法について、図７，８を中心に適宜図１〜３を交えて説明する。
データ線駆動回路１４０のサンプリング信号出力回路１４２は、制御回路５２による制御信号Ｃtrl-xに従って、図７または図８に示されるように、いずれかの走査線１１２が選択されて当該走査線に供給される走査信号がＨレベルとなる期間に渡って、順次排他的にＨレベルとなるサンプリング信号Ｓ１，Ｓ２，Ｓ３…Ｓ６４０を、データ線１１４の各々に出力する。なお、制御信号Ｃtrl-xとは、実際にはスタートパルスやクロック信号であるが、説明を省略している。
【００３７】
なお、走査信号がＨレベルとなる期間Ｈａ，Ｈｂは、実際には図７または図８に示されるように、クロック信号Ｃlyの半分周期の期間よりも若干狭められている。
また、図７，８は、指定値Ｑが「０」である場合を示している。
この場合、図７に示されるように、第１フィールドにおいては走査信号Ｇ(i+240)がＨレベルとなった後に走査信号ＧｉがＨレベルとなる。
また、図８に示されるように、第２フィールドにおいては走査信号ＧｉがＨレベルとなった後に走査信号Ｇ(i+240)がＨレベルとなる。
【００３８】
また、図１の表示データ処理回路５６は、選択された走査線１１２における画素１行分の表示データＶideoを、サンプリング信号出力回路１４２によるサンプリング信号Ｓ１〜Ｓ６４０の出力に合わせて次のような極性のデータ信号Ｖidに変換する。
すなわち、表示データ処理回路５６は、クロック信号ＣlyがＬレベルのときに選択された画素行における画素のデータ信号Ｖidを正極性（＋）に変換し、クロック信号ＣlyがＨレベルのときに選択された画素行における画素のデータ信号Ｖidを負極性（−）に変換する。換言すれば、表示データ処理回路５６は、スタートパルスＤyaの供給を契機として選択された画素行における画素のデータ信号Ｖidを正極性（＋）に変換し、スタートパルスＤybの供給を契機として選択された画素行における画素のデータ信号Ｖidを負極性（−）に変換する。
【００３９】
図７，８に示すように、正極性（＋）および負極性（−）とは、基準電圧Ｖｃから高位側を正極性（＋）とし、低位側を負極性（−）としている。また、ここでは、基準電圧Ｖｃを０Ｖに設定しているが、これに限定するものではない。
ここで、本発明の駆動方法における特徴点の一つとして、対向電極電位Ｃomが基準電圧Ｖｃよりも負極性（−）側にシフトして設定されている。
具体的には、対向電極電位Ｃomは、例えば、約−０．１Ｖから−０．２Ｖの範囲内の電圧値に設定されている。これは、前述した第１の現象（フィールドスルー）による電圧変化分が約−０．１Ｖから−０．２Ｖであるため、これを補正電圧として、対向電極電位Ｃomの設定値を基準電圧Ｖｃからシフトさせているからである。
なお、ここでは、ＴＦＴ１１６がｎチャネル型であるため、負極性（−）側への補正となっているが、これに限定するものではなく、第１の現象による影響を低減できるように対向電極電位Ｃomをシフトすれば良い。
【００４０】
これは、前述したように発明者等の実験データからの知見に基づくものである。
また、第１の現象における補正電圧は、個別の表示パネルごとに計測して求めることが好ましい。具体的には、同じ階調に相当する正・負極性の駆動電圧を交互に印加したときに、フリッカが充分小さくなる対向電極電位Ｃomを求め、その値と、基準電圧Ｖｃとの差から補正電圧を求める。また、このときの駆動電圧は、フリッカを視認しやすい中間階調に相当する電圧が好ましい。
このようにして補正電圧は求められ、制御回路５２（図１）、または電圧生成回路６０に設定される。そして、電圧生成回路６０は、補正電圧分シフトした対向電極電位Ｃomを生成し、表示パネル１０の対向電極に供給する。
【００４１】
《駆動方法３：全般》
続いて、駆動方法の全般について説明する。
なお、ここでは、指定値Ｑが「０」である場合の動作について説明した上で、指定値Ｑを操作子７０により「０」以外の値に設定した場合の動作について説明する。
まず、図１において、制御回路５２は、外部装置から供給される表示データＶideoを、フレームメモリ５７に記憶させた後、表示パネル１０においてある画素行の走査線が選択されるとき、当該画素行の表示データを記憶速度の倍の速度で読み出させる。そして、ＤＡコンバータ５８によりアナログのデータ信号Ｖidに変換するとともに、表示データの読み出しに合わせて、サンプリング信号Ｓ１〜Ｓ６４０が順番にＨレベルとなるように、制御信号Ｃtrl-xを介してサンプリング信号出力回路１４２を制御する。
【００４２】
図４に示すように、指定値Ｑが「０」であれば、第１フィールドにおいて、走査線が２４１、１、２４２、２、２４３、３、…、４８０、２４０行目という順番で選択される。
このため、制御回路５２は、はじめに２４１行目の走査線が選択されるように、走査線駆動回路１３０を制御する一方、表示データ処理回路５６に対し、フレームメモリ５７に記憶された２４１行目に相当する表示データＶideoを倍速で読み出させる。
そして、ＤＡコンバータ５８により負極性のデータ信号Ｖidを生成させるとともに、データ信号Ｖidの読み出しに合わせて、図７に示すように、サンプリング信号Ｓ１〜Ｓ６４０が順番に排他的にＨレベルとなるようにサンプリング信号出力回路１４２を制御する。
サンプリング信号Ｓ１〜Ｓ６４０が順番にＨレベルになると、ＴＦＴ１１６が順番にオンして画像信号線１７１に供給されたデータ信号Ｖidが１〜６４０列目のデータ線にサンプリングされる。
【００４３】
一方、走査線が選択されると、走査信号Ｇ２４１がＨレベルとなるので、２４１行目に位置する画素１１０のＴＦＴがすべてオンする。
このため、データ線にサンプリングされたデータ信号Ｖidの負極性電圧がそのまま画素電極１１８に印加される。これにより、２４１行目であって１、２、３、４、…、６３９、６４０列の画素における液晶容量１２０には、表示データＶideoで指定された階調に応じた負極性電圧が書き込まれて、保持される。
以下、第１フィールドにおいては、同様な電圧書込の動作が、１、２４２、２、２４３、３、…、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持される。
【００４４】
また、第２フィールドにおいては、走査線が１、２４１、２、２４２、３、２４３、４、２４４、…、２４０、４８０行目という順番で選択されるともに、同一行における書込極性が反転される。
このため、１〜２４０行目の画素に対しては階調に応じた負極性電圧が書き込まれ、２４１〜４８０行目の画素に対しては階調に応じた正極性電圧が書き込まれて、それぞれ保持される。
【００４５】
図７には、第１フィールドにおける（ｉ＋２４０）行目の走査線とｉ行目の走査線とが選択される期間におけるデータ信号Ｖidの電圧波形の一例が示されている。
図７において、電圧Ｖb(+)、Ｖb(-)は、それぞれ最低階調の黒色に相当する正極性、負極性の電圧であり、基準電圧Ｖｃを中心に対称の関係にある。
表示データＶideoで指定される階調値の十進値が「０」のときに最低階調の黒色を指定し、以後当該十進値が大きくなるにつれて明るい階調を指定する場合、本実施形態はノーマリーホワイトモードであるから、データ信号Ｖidの電圧は、正極性に変換する場合には、階調値が大きくなるにつれて電圧Ｖb(+)から低位側に振られた電圧となり、負極性に変換する場合には電圧Ｖb(-)から高位側に振られた電圧となる。
【００４６】
第１フィールドでは、ｉ行目よりも先に（ｉ＋２４０）行目の走査線が選択されるので、走査信号Ｇ(i+240)がＨレベルになる期間のうち、例えばサンプリング信号Ｓ１がＨレベルになる期間に、データ信号Ｖidは、ｉ行１列の画素の階調に応じた負極性電圧となり、以降、サンプリング信号の変化に合わせて、２、３、４、…、６４０列目の画素の階調に応じた負極性電圧に変化する。
続いて選択されるｉ行目では、正極性書込が指定されるので、走査信号ＧｉがＨレベルになる期間のうち、例えばサンプリング信号Ｓ１がＨレベルになる期間に、データ信号Ｖidは、ｉ行１列の画素の階調に応じた正極性電圧となり、以降、サンプリング信号の変化に合わせて、２、３、４、…、６４０列の画素の階調に応じた正極性電圧に変化する。
なお、第２フィールドでは、ｉ行目の後に（ｉ＋２４０）行目の走査線が選択されるので、走査信号ＧｉがＨレベルになるとともに、書込極性が反転するため、データ信号Ｖidの電圧波形は図８に示される通りとなる。
【００４７】
なお、図７および図８においてデータ信号Ｖidの電圧を示す縦軸は、見易くするため他の信号における縦軸よりも拡大している。また、サンプリング信号Ｓ６４０がＬレベルに変化してからサンプリング信号Ｓ１がＨレベルに変化するまでの期間に渡って黒色に相当する電圧となっているが、その理由は、タイミングずれなどの理由により誤って画素に書き込まれても、表示に寄与させないためである。
【００４８】
図９は、指定値Ｑが「０」である場合において、各行の書込状態を連続するフレームに渡る時間経過とともに示した図である。また、最上段の走査線への書き込み、つまり正極性保持期間の開始時刻は、正確には、スタートパルスＤyaが供給された後、クロック信号Ｃlyの半周期遅延したタイミングとなるが、図９では、簡略化してスタートパルスＤyaに合わせている。以降説明する同種の図面においても同様である。
図９に示されるように、本実施形態では、第１フィールドにおいて２４１、２４２、２４３、…、４８０行目の画素では負極性の書き込みがなされ、１、２、３、…、２４０行目の画素では正極性の書き込みがなされて、次の書き込みまで保持される。
一方、第２フィールドにおいて１、２、３、…、２４０行目の画素では負極性書き込みがなされ、２４１、２４２、２４３、…、４８０行目の画素では正極性の書き込みがなされて、同様に次の書き込みまで保持される。
つまり、各フィールドにおいて、正極性を書き込む走査線（Ａ）と、負極性を書き込む走査線（Ｂ）とが２本選択されているとも捉えることができる。
このように、指定値Ｑが「０」であれば、第１および第２フィールドの期間は、クロック信号Ｃlyの２４０周期分であるから、各画素において液晶容量１２０に正極性電圧が保持される期間と負極性電圧が保持される期間とはほぼ半分ずつとなる。
【００４９】
次に、指定値Ｑが例えば「−１」である場合について説明する。
図５に示されるように、指定値Ｑが例えば「−１」であると、スタートパルスＤybがタイミングＴよりもクロック信号Ｃlyの１周期分だけ時間的に前方のタイミングで出力される。このため、指定値Ｑが「−１」であれば、第１フィールドの期間はクロック信号Ｃlyの２３９周期分となるのに対し、第２フィールドの期間はクロック信号Ｃlyの２４１周期分となる。
また、指定値Ｑが「−１」の場合、第１フィールドにおいて走査線が２４２、１、２４３、２、２４４、３、…、４８０、２３９行目という順番で選択され、第２フィールドにおいて走査線が１、２４０、２、２４１、３、２４２、…、２４１、４８０目という順番で選択される。
【００５０】
図１０は、指定値Ｑが「−１」である場合において、各行の書込状態を連続するフレームに渡る時間経過とともに示した図である。
図１０に示されるように、指定値Ｑが「−１」である場合、スタートパルスＤybの出力タイミングが早まるので、スタートパルスＤybの供給を契機とする選択により書き込まれる負極性電圧の保持期間は、スタートパルスＤyaの供給を契機とする選択により書き込まれる正極性電圧の保持期間よりも長くなる。
つまり、指定値Ｑが負の値であれば、その絶対値が大きくなるにつれて、スタートパルスＤybの供給を契機とする選択により書き込まれる負極性電圧の保持期間は、スタートパルスＤyaの供給を契機とする選択により書き込まれる正極性電圧の保持期間よりも長くなる。
このため、液晶容量１２０に印加される正極性電圧と負極性電圧とのバランスが崩れ、負極性の電圧実効値が正極性の電圧実効値を上回ることになる。
【００５１】
次に、指定値Ｑが例えば「＋１」である場合について説明する。
図６に示されるように、指定値Ｑが例えば「＋１」である場合、スタートパルスＤybがタイミングＴよりもクロック信号Ｃlyの１周期分だけ時間的に後方のタイミングで出力される。このため、指定値Ｑが「＋１」であれば、第１フィールドの期間はクロック信号Ｃlyの２４１周期分となるのに対し、第２フィールドの期間はクロック信号Ｃlyの２３９周期分となる。
また、指定値Ｑが「＋１」であれば、第１フィールドにおいて走査線が２４０、１、２４１、２、２４２、３、…、４８０行目という順番で実行され、第２フィールドにおいて走査線が１、２４２、２、２４３、３、２４４、…、２３９、４８０目という順番で実行される。
【００５２】
図１１は、指定値Ｑが「＋１」である場合において、各行の書込状態を連続するフレームに渡る時間経過とともに示した図である。
図１１に示されるように、指定値Ｑが「＋１」である場合、スタートパルスＤybの出力タイミングが遅くなるので、スタートパルスＤybの供給を契機とする選択により書き込まれる負極性電圧の保持期間は、スタートパルスＤyaの供給を契機とする選択により書き込まれる正極性電圧の保持期間よりも短くなる。
つまり、指定値Ｑが正の値であれば、その絶対値が大きくなるにつれて、スタートパルスＤybの供給を契機とする選択により書き込まれる負極性電圧の保持期間は、スタートパルスＤyaの供給を契機とする選択により書き込まれる正極性電圧の保持期間よりも短くなる。
このため、液晶容量１２０に印加される負極性の電圧実効値が正極性の電圧実効値を下回ることになる。
【００５３】
図１２は、本実施形態の駆動方法による実験データを示すグラフである。
図１２において、横軸は経過時間（ｔ）を示し、縦軸は第２の現象（特性差）の補正電圧（Ｖ）を示している。
また、グラフａは本実施形態の駆動方法を用いた製品における第２の補正電圧の時間依存性を表し、グラフｂは比較のために従来の駆動方法を用いた製品における第２の補正電圧の時間依存性を表している。いずれの製品においても、対向電極電位Ｃomは、第１の現象に対する補正電圧だけシフトした値に設定されている。
また、グラフａの製品については、計測データに基づき指定値Ｑによる補正がなされている。具体的には、指定値Ｑがプラスの値に設定されており、１フレーム内における正極性電圧の印加時間が５５％、負極性電圧の印加時間が４５％の割合になっている。
【００５４】
グラフｂに示すように、比較用の製品では、表示開始時点では第２の補正電圧はゼロとなっているが、その後、時間経過に伴い、第２の補正電圧が大きくなっている。つまり、時間経過に伴って、液晶層へ直流電圧成分が印加されてしまっている。
これに対して、本実施形態の駆動方法を用いた製品では、グラフａに示すように、表示開始から時間が経過しても第２の補正電圧は略ゼロのままである。
つまり、対向電極電位Ｃomを第１の現象の補正電圧分あらかじめシフトするとともに、第２の現象については指定値Ｑをマイナス方向にシフトさせることにより、時間経過に拘らず、第１および第２の現象による液晶層への直流電圧成分の印加が抑制されていることが解る。
【００５５】
上述した通り、本実施形態に係る電気光学装置１によれば、以下の効果を得ることができる。
上述した駆動方法によれば、対向電極電位Ｃomが第１の現象に対する補正電圧分あらかじめシフトされた値に設定されているため、第１の現象についての補正が盛り込まれている。
さらに、指定値Ｑの値に応じて、スタートパルスＤybの出力タイミングを前後させることにより、液晶容量１２０に印加される正極性電圧と負極性電圧との電圧実効値の比率を調整することができる。換言すれば、１フレームの期間長における第１および第２フィールドの期間長の割合を可変としたことにより、１フレーム内で印加される負極性電圧の実効値と正極性電圧の実効値との割合を調整することができる。
よって、第１の現象に対する補正電圧と第２の現象に対する補正電圧とを加算した補正電圧を用いていた従来の駆動方法と比べて、フリッカおよび表示画像の焼き付き等の表示不具合を抑制することができる電気光学装置の駆動方法を提供することができる。
【００５６】
その上、あらかじめ設定された対向電極電位のシフト量は、第１の現象に対する補正電圧分のみであるため、第１の現象に対する補正電圧と第２の現象に対する補正電圧とを加算した補正電圧を用いていた従来の駆動方法に比べて対向電極電位のシフト量が少なくなり、液晶層への直流電圧成分の印加を抑制することができる。
従って、従来の駆動方法と比べて、フリッカおよび表示画像の焼き付き等の表示不具合を抑制することができる。
また、駆動方法として、いわゆる倍速領域走査反転駆動を採用しているため、ライン反転駆動などの従来の駆動方法に比べて、ディスクリネーションの発生がなく、かつ、フリッカや、クロストークなどを低減することができる。
【００５７】
また、これらの駆動方法は、表示データ処理回路５６や、制御回路５２を備えた処理回路５０が、操作子７０からの指定値Ｑの値に応じて、内蔵する各部や、電圧生成回路６０を制御することにより実行される。そして、処理回路５０、および電圧生成回路６０によって生成された駆動信号によって、走査線駆動回路１３０や、データ線駆動回路１４０を備えた表示パネル１０が表示駆動される。
ここで、電気光学装置１は、表示パネル１０、処理回路５０、電圧生成回路６０、操作子７０を含んで構成されている。
従って、従来の電気光学装置と比べて、フリッカおよび表示画像の焼き付き等の表示不具合を抑制することができる電気光学装置を提供することができる。
【００５８】
また、従来の電気光学装置では、初期段階に設定された補正電圧が、時間経過に拘らず、そのまま使用されていた。換言すれば、一度設定された補正電圧を使用段階で修正することは困難であった。
これに対して、電気光学装置１によれば、操作子７０による指定値Ｑの設定は、例えば、電子機器に組み込まれた後であっても、当該電子機器の操作パネルや、リモコンなどの操作部で行うことができる。
従って、経時変化に伴うフリッカなどの表示不具合が発生した場合であっても、その段階において補正値を再設定することができる。
【００５９】
（実施形態２）
図１３は、実施形態２の駆動方法における走査信号系のタイミングチャートである。図１４は、各行の書込状態を連続するフレームに渡る時間経過とともに示した図である。
ここでは、実施形態１における説明と重複する部分は省略し、また、同一の構成部位については同一の番号を附して説明する。
実施形態２における電気光学装置は、図１〜３で説明した実施形態１の電気光学装置と同じ構成であり、駆動方法のみが実施形態１と異なる。
詳しくは、実施形態２では、第１および第２フィールドのそれぞれにおいて、１、２、３、４、…、４７９、４８０行目という走査線の順番通りに走査線を選択し、かつ、各フィールドにおけるデータ信号の極性を反転させる、いわゆる面反転倍速駆動を採用している。
【００６０】
まず、走査線の駆動方法について説明する。
図１３は、指定値Ｑが「０」のときの走査信号系のタイミングチャートであり、実施形態１と同様に、１フレームは、第１および第２フィールドから構成されている。
本実施形態における駆動方式においても、実施形態１と同様に外部装置から供給される表示データＶideoをフレームメモリ５７に記憶させた後、ある画素行の走査線が選択されるとき、当該画素行の表示データを記憶速度の倍の速度で読み出す。
そして、第１および第２フィールドにおいて、当該読み出された表示データを走査線１〜４８０行目の順番で２倍の速度で書き込む。
【００６１】
また、最上段の走査線に供給される走査信号Ｇ１は、スタートパルスＤyaが供給された後、クロック信号Ｃlyの半周期遅延したタイミングで出力される。
そして、走査信号Ｇ１に続いて、順次走査信号Ｇ２〜Ｇ４８０が、クロック信号Ｃlyの論理レベルが変化する毎にクロック信号の半周期分の期間において順次Ｈレベルとなる。
よって、図１３に示されるように、第１フィールドではスタートパルスＤyaの供給を契機として１〜４８０行目の走査線が選択され、第２フィールドではスタートパルスＤybの供給を契機として１〜４８０行目の走査線が選択される。また、スタートパルスＤybの立ち上がりがタイミングＴと一致している。
【００６２】
ここで、対向電極電位Ｃomについては、実施形態１と同様に、基準電圧Ｖｃよりも第１の現象（フィールドスルー）に対する補正電圧分シフトして設定されている。
また、データ信号の極性反転については、交流化信号ＦＲによって規定されている。交流化信号ＦＲは、スタートパルスＤyaとスタートパルスＤybとに同期して信号レベルが変化している。換言すれば、第１フィールドではＨレベル、第２フィールドではＬレベルという周期を持つ矩形波である。
データ信号は、交流化信号ＦＲのＨ／Ｌレベルに対応して極性反転される。具体的には、第１フィールドにおいては正極性の電圧に変換され、第２フィールドにおいては負極性の電圧に変換され、１フレーム内において面反転駆動がなされている。
【００６３】
また、第１フィールドにおいて４８０行目の走査線を選択してから、次の第２フィールドにおいて１行目の走査線を選択するまでの帰線期間Ｆb1が設けられている。同様に、第２フィールドにおいて４８０行目の走査線を選択してから、次のフレームの第１フィールドにおいて１行目の走査線を選択するまでの帰線期間Ｆb2が設けられている。
【００６４】
図１４は、指定値Ｑが「０」である場合において、各行の書込状態を連続するフレームに渡る時間経過とともに示した図である。
図１４に示されるように、第１フィールドにおいて１〜４８０行目の画素では正極性の書き込みがなされて、次の書き込みまで保持される。
一方、第２フィールドにおいて１〜４８０行目の画素では負極性の書き込みがなされて、同様に次の書き込みまで保持される。
このように、指定値Ｑが「０」であれば、第１および第２フィールドの期間は、クロック信号Ｃlyの２４０周期分であるから、各画素において液晶容量１２０に正極性電圧が保持される期間と負極性電圧が保持される期間とはほぼ半分ずつとなる。
【００６５】
図１５は、指定値Ｑがマイナスの場合において、各行の書込状態を連続するフレームに渡る時間経過とともに示した図である。
次に、指定値Ｑがマイナスである場合について説明する。
図１５に示されるように、指定値Ｑがマイナスである場合、スタートパルスＤybの出力タイミングがタイミングＴよりも早まるので、スタートパルスＤybの供給を契機とする選択により書き込まれる負極性電圧の保持期間は、スタートパルスＤyaの供給を契機とする選択により書き込まれる正極性電圧の保持期間よりも長くなる。
つまり、指定値Ｑが負の値であれば、その絶対値が大きくなるにつれて、スタートパルスＤybの供給を契機とする選択により書き込まれる負極性電圧の保持期間は、スタートパルスＤyaの供給を契機とする選択により書き込まれる正極性電圧の保持期間よりも長くなる。このため、液晶容量１２０に印加される正極性電圧と負極性電圧とのバランスが崩れ、負極性の電圧実効値が正極性の電圧実効値を上回ることになる。
なお、スタートパルスＤybをタイミングＴよりも早める場合において、その限界は、図１５に示されるように、帰線期間Ｆb1がゼロとなるまでである。
【００６６】
図１６は、指定値Ｑがプラスの場合において、各行の書込状態を連続するフレームに渡る時間経過とともに示した図である。
次に、指定値Ｑがプラスである場合について説明する。
図１６に示されるように、指定値Ｑがプラスである場合、スタートパルスＤybの出力タイミングがタイミングＴよりも遅くなるので、スタートパルスＤybの供給を契機とする選択により書き込まれる負極性電圧の保持期間は、スタートパルスＤyaの供給を契機とする選択により書き込まれる正極性電圧の保持期間よりも短くなる。
つまり、指定値Ｑが正の値であれば、その絶対値が大きくなるにつれて、スタートパルスＤybの供給を契機とする選択により書き込まれる負極性電圧の保持期間は、スタートパルスＤyaの供給を契機とする選択により書き込まれる正極性電圧の保持期間よりも短くなる。このため、正極性の電圧実効値が負極性の電圧実効値を上回ることになる。
なお、スタートパルスＤybをタイミングＴよりも遅延させる場合において、その限界は、図１６に示されるように、帰線期間Ｆb2がゼロとなるまでである。
【００６７】
上述した通り、本実施形態によれば、実施形態１における効果に加えて、以下の効果を得ることができる。
本実施形態の駆動方法としては、面反転倍速駆動を採用しているため、ライン反転駆動などの従来の駆動方法に比べて、ディスクリネーションの発生を抑制することができる。
また、面反転倍速駆動を行う場合においても、対向電極電位Ｃomを第１の現象に対する補正電圧分あらかじめシフトされた値に設定するとともに、１フレームの期間長における第１および第２フィールドの期間長の割合を可変とした駆動方法を適用することができる。
従って、従来の駆動方法と比べて、フリッカおよび表示画像の焼き付き等の表示不具合を抑制することができる。
【００６８】
（実施形態３）
図１７は、実施形態３の駆動方法における各行の書込状態を連続するフレームに渡る時間経過とともに示した図である。図１８は、タイミングＴ２における画面態様を示す図である。
ここでは、実施形態１における説明と重複する部分は省略し、また、同一の構成部位については同一の番号を附して説明する。
実施形態３における電気光学装置は、図１〜３で説明した実施形態１の電気光学装置と同じ構成であり、駆動方法が実施形態１と異なる。
詳しくは、実施形態３では、実施形態１と同様にいわゆる倍速領域走査反転駆動を行うが、指定値Ｑの値に応じて、第１または第２フィールドのいずれかにおいて、所定の階調を書き込む３本目の走査線を選択する。
【００６９】
また、対向電極電位Ｃomについては、実施形態１と同様に、基準電圧Ｖｃよりも第１の現象（フィールドスルー）に対する補正電圧分シフトして設定されている。
また、液晶モードは、液晶容量１２０において保持される電圧実効値がゼロに近ければ、液晶容量を通過する光の透過率が最小となって黒色表示になる一方、電圧実効値が大きくなるにつれて透過する光量が増加して、透過率が最大の白色表示になるノーマリーブラックモードに設定されている。
【００７０】
まず、本実施形態において、指定値Ｑが「０」のときのタイミングチャートを含む駆動態様は、図４，９で説明した通りである。
つまり、図９に示すように、指定値Ｑが「０」であれば、第１および第２フィールドの期間は、クロック信号Ｃlyの２４０周期分であるから、各画素において液晶容量１２０に正極性電圧が保持される期間と負極性電圧が保持される期間とはほぼ半分ずつとなる。
【００７１】
図１７は、指定値Ｑが「−１」の場合において、各行の書込状態を連続するフレームに渡る時間経過とともに示した図である。
図１７に示されるように、指定値Ｑが「−１」である場合、スタートパルスＤybが供給されるよりもＨだけ早いタイミングで、３本目の走査線を選択するためのスタートパルスＤyiが供給される。換言すれば、タイミングＴよりもクロック信号Ｃlyの１周期分早いタイミングでスタートパルスＤyiが供給される。
そして、タイミングＴにおいて、スタートパルスＤybが供給されることになる。
【００７２】
図１８は、第２フィールドの略中間のタイミングＴ２における瞬間の書き込み態様を示している。
以下、スタートパルスＤyaで選択される走査線を走査線Ａ、スタートパルスＤyiで選択される走査線を走査線Ｉ、スタートパルスＤybで選択される走査線を走査線Ｂとして説明する。
走査線Ａ，Ｉ，Ｂは、図１８の上方から下方に向って移動している。つまり、ある行の画素は、走査線Ａによる正極の書き込みが行われた後、走査線Ｉおよび走査線Ｂによって書き込みが行われる。
ここで、走査線Ｉによる書き込みは、タイミングＴよりもクロック信号Ｃlyの１周期分早いため、その分、走査線Ａによる正極性の保持期間が短くなっている。また、走査線Ｉによって書き込まれるデータ信号Ｖidの電圧は、初期段階で設定された所定階調の電圧となっている。データ信号Ｖidは、好適な態様として、対向電極電位Ｃomと同電位に設定されている。
【００７３】
図２１（ａ）は、指定値Ｑがマイナスの場合におけるデータ信号の波形図であり、１フレーム内において１つの画素に印加されるデータ信号の波形を示している。
詳しくは、第１フィールドでは、走査線Ａによって正極のデータ信号が印加された後、走査線Ｉによって対向電極電位Ｃomと同電位のデータ信号が印加される。そして、第２フィールドでは、走査線Ｂによって負極のデータ信号が印加されている。
つまり、正極性の保持時間が、破線で示された走査線Ｉの走査期間分、負極性の保持時間よりも短くなっている。
このため、液晶容量１２０に印加される正極性電圧と負極性電圧とのバランスが崩れ、負極性の電圧実効値が正極性の電圧実効値を上回ることになる。
【００７４】
また、本実施例ではノーマリーブラックモードを用いており、走査線Ｉによって書き込まれるデータ信号が対向電極電位Ｃomと同電位であるため、走査線Ｉの走査期間の間は黒が書き込まれていることになる。
よって、特に、動画を表示する場合においては、１フレームごとに走査線Ｉによって黒挿入を行っていることになり、インパルス型の表示態様に近づくため、動画視認性を向上させることができる。
【００７５】
図１９は、指定値Ｑが「＋１」の場合において、各行の書込状態を連続するフレームに渡る時間経過とともに示した図である。
図１９に示されるように、指定値Ｑが「＋１」である場合、スタートパルスＤyaが供給されるよりもＨだけ早いタイミングで、３本目の走査線を選択するためのスタートパルスＤyjが供給される。換言すれば、次のフレームのスタートパルスＤyaよりもクロック信号Ｃlyの１周期分早いタイミングでスタートパルスＤyjが供給される。
また、スタートパルスＤybは、タイミングＴにおいて供給されている。
【００７６】
図２０は、第２フィールドの略中間のタイミングＴ２における瞬間の書き込み態様を示している。
以下、スタートパルスＤyjで選択される走査線を走査線Ｊとして説明する。
走査線Ｊ，Ａ，Ｂは、図２０の上方から下方に向って移動している。つまり、ある行の画素は、走査線Ｊによる正極の書き込みが行われた後、走査線Ａおよび走査線Ｂによって書き込みが行われる。
ここで、走査線Ｊによる書き込みは、次のフレームのスタートパルスＤyaよりもクロック信号Ｃlyの１周期分早いため、その分、走査線Ｂによる負極性の保持期間が短くなっている。また、走査線Ｊによって書き込まれるデータ信号Ｖidの電圧は、初期段階で設定された所定階調の電圧となっている。データ信号Ｖidは、好適な態様として、対向電極電位Ｃomと同電位に設定されている。
【００７７】
図２１（ｂ）は、指定値Ｑがプラスの場合におけるデータ信号の波形図であり、１フレーム内において１つの画素に印加されるデータ信号の波形を示している。
詳しくは、第１フィールドでは、走査線Ａによって正極のデータ信号が印加される。そして、第２フィールドでは、走査線Ｂによって負極のデータ信号が印加された後、走査線Ｊによって対向電極電位Ｃomと同電位のデータ信号が印加される。
つまり、負極性の保持時間が、破線で示された走査線Ｊの選択期間分、正極性の保持時間よりも短くなっている。
このため、正極性の電圧実効値が負極性の電圧実効値を上回ることになる。
【００７８】
また、指定値Ｑがマイナスの場合と同様に、動画視認性を向上させることができる。なお、走査線Ｉ，Ｊによって書き込まれる階調は、黒に限定するものではなく、例えば、灰色などの他の階調であっても良い。
また、これらの駆動制御は、図１の処理回路５０が操作子７０の指定値Ｑに応じて、３本目の走査線としての走査線Ｉ，Ｊを選択するためのスタートパルスＤyi，Ｄyjを生成するとともに、データ信号Ｖidとして対向電極電位Ｃomを供給することによって実現することができる。
【００７９】
上述した通り、本実施形態によれば、以下の効果を得ることができる。
指定値Ｑの値に応じて、第１または第２フィールドのいずれかにおいて、所定の階調を書き込む３本目の走査線Ｉ、または走査線Ｊを選択する駆動方法によっても、実施形態１と同様に、従来の駆動方法と比べて、フリッカおよび表示画像の焼き付き等の表示不具合を抑制することができる。
さらに、実施形態１における効果に加えて、走査線Ｉ，Ｊによって書き込まれる階調が黒であるため、動画を表示する場合においては、１フレームごとに黒挿入を行っていることになり、インパルス型の表示態様に近づくため、動画視認性を向上させることができる。
本実施形態においてはノーマリーブラックモードを例としてあげたが、ノーマリーホワイトモードにおいても、フリッカおよび表示画像の焼き付き等の表示不具合を抑制する効果を得ることができる。ノーマリーホワイトモードの場合は、ＶidをＣomではなく黒表示をするための電圧Ｖsatに近い値に設定すれば、さらに動画視認性を向上させることができる。とくに、Ｖid＞Ｖsatとすれば、表示状態に関わらず、フリッカおよび表示画像の焼き付き等の表示不具合を抑制しつつ、動画視認性を向上させるという効果が得られる。ただし、Ｖid＞Ｖsatの場合には、Ｑを調整する方向をＶid＝Ｖcomの場合とは逆方向にする。
【００８０】
（実施形態４）
図２２，２３は、実施形態４の駆動方法における各行の書込状態を連続するフレームに渡る時間経過とともに示した図である。
ここでは、実施形態１〜３における説明と重複する部分は省略し、また、同一の構成部位については同一の番号を附して説明する。
実施形態４における電気光学装置は、図１〜３で説明した実施形態１の電気光学装置と同じ構成を備えている。
また、実施形態４の駆動方法では、実施形態２と同様に面反転倍速駆動を行うが、指定値Ｑの値に応じて、実施形態３と同様に第１または第２フィールドのいずれかにおいて、所定の階調を書き込む走査線を選択する。
また、対向電極電位Ｃomについては、実施形態１と同様に、基準電圧Ｖｃよりも第１の現象（フィールドスルー）に対する補正電圧分シフトして設定されている。
また、液晶モードは、ノーマリーブラックモードに設定されている。
【００８１】
まず、本実施形態において、指定値Ｑが「０」のときのタイミングチャートを含む駆動態様は、図１３，１４で説明した通りである。
つまり、図１４に示すように、指定値Ｑが「０」であれば、第１および第２フィールドの期間は、クロック信号Ｃlyの２４０周期分であるから、各画素において液晶容量１２０に正極性電圧が保持される期間と負極性電圧が保持される期間とはほぼ半分ずつとなる。
【００８２】
図２２は、指定値Ｑが「−１」の場合において、各行の書込状態を連続するフレームに渡る時間経過とともに示した図である。
図２２に示されるように、指定値Ｑが「−１」である場合、スタートパルスＤybが供給されるよりもＨだけ早いタイミングで、所定の階調を書き込むための走査線を選択するためのスタートパルスＤyiが供給される。換言すれば、タイミングＴよりもクロック信号Ｃlyの１周期分早いタイミングでスタートパルスＤyiが供給される。そして、タイミングＴにおいて、スタートパルスＤybが供給されることになる。
また、スタートパルスＤyiを起点とした走査線Ｉによって書き込まれるデータ信号Ｖidは、対向電極電位Ｃomと同電位に設定されている。
つまり、スタートパルスＤyaを起点とした走査線Ａによる正極性の保持期間が、スタートパルスＤybを起点とした走査線Ｂによる負極性の保持期間よりも、走査線Ｉによる書き込み分（クロック信号Ｃlyの１周期分）短くなっている。
【００８３】
よって、図２１（ａ）に示すように、１フレーム内で印加されるデータ信号Ｖidにおいて、正極性の保持時間が、破線で示された走査線Ｉの走査期間分、正極性の保持時間よりも短くなっている。
このため、液晶容量１２０に印加される正極性電圧と負極性電圧とのバランスが崩れ、負極性の電圧実効値が正極性の電圧実効値を上回ることになる。
【００８４】
図２３は、指定値Ｑが「＋１」の場合において、各行の書込状態を連続するフレームに渡る時間経過とともに示した図である。
図２３に示されるように、指定値Ｑが「＋１」である場合、スタートパルスＤyaが供給されるよりもＨだけ早いタイミングで、所定の階調を書き込むための走査線Ｊを選択するためのスタートパルスＤyjが供給される。換言すれば、次のフレームのスタートパルスＤyaよりもクロック信号Ｃlyの１周期分早いタイミングでスタートパルスＤyjが供給される。そして、タイミングＴにおいて、スタートパルスＤybが供給されることになる。
また、スタートパルスＤyjを起点とした走査線Ｊによって書き込まれるデータ信号Ｖidは、対向電極電位Ｃomと同電位に設定されている。
つまり、スタートパルスＤybを起点とした走査線Ｂによる負極性の保持期間が、スタートパルスＤyaを起点とした走査線Ａによる正極性の保持期間よりも、走査線Ｊによる書き込み分（クロック信号Ｃlyの１周期分）短くなっている。
【００８５】
よって、図２１（ｂ）に示すように、１フレーム内で印加されるデータ信号Ｖidにおいて、負極性の保持時間が、破線で示された走査線Ｊの走査期間分、正極性の保持時間よりも短くなっている。
このため、正極性の電圧実効値が負極性の電圧実効値を上回ることになる。
また、走査線Ｊによって書き込まれるデータ信号が対向電極電位Ｃomと同電位であるため、ノーマリーブラックモードにおいては黒が書き込まれていることになる。
よって、特に、動画を表示する場合においては、１フレームごとに走査線Ｊによって黒挿入を行っていることになり、インパルス型の表示態様に近づくため、動画視認性を向上させることができる。
【００８６】
上述した通り、本実施形態によれば、以下の効果を得ることができる。
面反転倍速駆動を行う場合においても、指定値Ｑの値に応じて、第１または第２フィールドのいずれかにおいて、所定の階調を書き込む３本目の走査線Ｉ、または走査線Ｊを選択する駆動方法を適用することができる。
従って、面反転倍速駆動を行う場合においても、フリッカおよび表示画像の焼き付き等の表示不具合を抑制することができる。
本実施形態においてはノーマリーブラックモードを例としてあげたが、ノーマリーホワイトモードにおいても、フリッカおよび表示画像の焼き付き等の表示不具合を抑制する効果を得ることができる。ノーマリーホワイトモードの場合は、ＶidをＣomではなく黒表示をするための電圧Ｖsatに近い値に設定すれば、さらに動画視認性を向上させることができる。とくに、Ｖid＞Ｖsatとすれば、表示状態に関わらず、フリッカおよび表示画像の焼き付き等の表示不具合を抑制しつつ、動画視認性を向上させるという効果が得られる。ただし、Ｖid＞Ｖsatの場合には、Ｑを調整する方向をＶid＝Ｖcomの場合とは逆方向にする。
【００８７】
（実施形態５）
図２４は、実施形態５の駆動方法に係るタイミングチャートである。
ここでは、実施形態１における説明と重複する部分は省略し、また、同一の構成部位については同一の番号を附して説明する。
実施形態５における電気光学装置は、図１の処理回路５０において、フレームメモリ５７の構成を簡略化した構成となっている。詳しくは、フレームメモリ５７において倍速駆動に用いられていた分のメモリ容量を削減した構成となっている。
また、実施形態５では、垂直同期信号Ｖｓごとにデータ信号Ｖidの極性を反転させるフレーム反転駆動をベースとして、直流電圧成分を抑制することが可能な駆動方法を採用している。
【００８８】
まず、本実施形態における駆動方法を説明するために、図２４を用いて、従来技術におけるフレーム反転駆動の概要について説明する。
図２４には、垂直同期信号Ｖｓ、本実施形態における交流化信号ＦＲ、データ信号Ｖid、および従来技術における交流化信号ＦＲｘの出力タイミングが示されている。
従来の駆動方法において、交流化信号ＦＲｘは、垂直同期信号Ｖｓの出力タイミングと同期してレベルが変化していた。換言すると、１フレームごとにレベルが変化していた。
よって、交流化信号ＦＲｘの極性と同じ極性の出力となるデータ信号も、１フレームごとに極性反転する矩形波（図示せず）となっていた。
また、対向電極電位は、第１の現象（フィールドスルー）に対する補正電圧と第２の現象（特性差）に対する補正電圧とを加算した補正電圧分シフトした値に設定されていた。
【００８９】
これに対して、本実施形態の駆動方法では、まず、対向電極電位Ｃomについては、実施形態１と同様に、基準電圧Ｖｃよりも第１の現象（フィールドスルー）に対する補正電圧分シフトして設定されている。
そして、例えば、連続する５つのフレームを一つの単位として、指定値Ｑの値に応じて、正負極性を印加するフレーム数の割合を調整する。換言すれば、５フレームの期間長において、正極性のデータ信号が印加される期間長と、負極性のデータ信号が印加される期間長との割合を調整する。
【００９０】
指定値Ｑがマイナスの場合は、例えば、図２４に示されるように、正極性のフレームが２フレーム、負極性のフレームが３フレームの順番で、正負の割合が２：３となるように交流化信号ＦＲが生成される。よって、データ信号Ｖidも、交流化信号ＦＲのレベルに従い、正極性のデータ信号Ｖidが２フレーム、負極性のデータ信号Ｖidが３フレームの順番で生成される。
これにより、液晶容量１２０に印加される正極性電圧と負極性電圧とのバランスが崩れ、負極性の電圧実効値が正極性の電圧実効値を上回ることになる。
なお、交流化信号ＦＲのレベルの並びは、上記順番に限定するものではなく、正負の割合が２：３となれば良い。例えば、負極性で１フレーム、正極性で１フレーム、負極性で１フレーム、正極性で１フレーム、負極性で１フレームという順番であっても良い。
【００９１】
また、指定値Ｑがプラスの場合、例えば、正極性のフレームが３フレーム、負極性のフレームが２フレームの順番で、正負の割合が３：２となる交流化信号ＦＲが処理回路５０で生成される。
よって、データ信号Ｖidも、交流化信号ＦＲのレベルに従い、正極性のデータ信号Ｖidが３フレーム、負極性のデータ信号Ｖidが２フレームの順番で生成される。
これにより、正極性の電圧実効値が負極性の電圧実効値を上回ることになる。
また、指定値Ｑがゼロの場合は、従来の交流化信号ＦＲｘが生成される。
なお、ここでは、５つのフレームを一つの単位とした場合について説明したが、フレーム数は、３フレーム以上の複数であれば良く、第２の現象における補正電圧の大きさに応じて適宜定めれば良い。
また、対向電極電位Ｃomについては、実施形態１と同様に、基準電圧Ｖｃよりも第１の現象（フィールドスルー）に対する補正電圧分シフトして設定されている。
【００９２】
上述した通り、本実施形態によれば、以下の効果を得ることができる。
フレーム単位でデータ信号Ｖidの極性を反転させるフレーム反転駆動において、対向電極電位Ｃomを第１の現象に対する補正電圧分シフトして設定するとともに、連続する３つ以上のフレームを一つの単位として、指定値Ｑの値に応じて、正負極性を印加するフレーム数の割合を調整することにより、従来の駆動方法と比べて、フリッカおよび表示画像の焼き付き等の表示不具合を抑制することができる。
また、垂直同期信号Ｖｓをトリガとした１フレームにおいて、各走査線は１回選択されるのみであるため、フレームメモリ５７（図１）の構成が簡素化されるため、電気光学装置の構成をシンプルにすることができる。特に、外部装置から供給される表示データＶideoや、垂直同期信号Ｖｓなどを含む画像信号が、表示パネル１０の解像度および特性に適合したものであった場合には、フレームメモリ５７（図１）の構成をなくすことも可能であるため、小型、またはローエンドの電気光学装置にも適用することができる。
【００９３】
連続する５つのフレームを一つの単位とした場合、２０％刻みでの補正を行うことが可能であるため、第２の現象における補正電圧が大きい場合であっても補正を行うことができる。また、一単位を構成するフレーム数を増やすことによって、補正幅を小さくすることもできる。
【００９４】
（実施形態６）
図２５は、実施形態６の駆動方法に係るタイミングチャートである。
ここでは、実施形態５における説明と重複する部分は省略し、また、同一の構成部位については同一の番号を附して説明する。
実施形態６の電気光学装置の構成は、実施形態５の電気光学装置構成と同様である。
実施形態６の駆動方法は、交流化信号ＦＲのレベル変化のタイミングを垂直同期信号Ｖｓと非同期としたことのみ、実施形態５の駆動方法と異なる。
【００９５】
本実施形態の駆動方法においても、実施形態５と同様に、例えば、５つのフレームを一つの単位として、指定値Ｑの値に応じて、正負極性をそれぞれ印加するフレーム数の割合を調整するが、極性が跨るフレームが発生する場合がある。
例えば、指定値Ｑがマイナスの場合、図２５に示されるように、交流化信号ＦＲは、正極性で１フレームの後に、正極性と負極性とに跨る１フレームが存在し、そして、負極性の３フレームという波形になっている。詳しくは、正負の割合が１．８：３．２となっている。
ここで、正極性と負極性とに跨る１フレームにおける極性反転タイミングは、垂直同期信号Ｖｓに同期しておらず、指定値Ｑの値に応じたタイミングとなっている。詳しくは、当該極性反転タイミングは、５フレーム内において、第２の現象の補正電圧に応じて、垂直同期信号Ｖｓに依存せずに、最適な正負極の分割割合となるタイミングに設定されている。なお、このタイミングは、垂直同期信号Ｖｓよりも短い周期の信号、例えば、クロック信号Ｃlyなどに同期させることによって、設定されている。
【００９６】
よって、データ信号Ｖidも、交流化信号ＦＲのレベルに従い、正負が１．８：３．２の割合で生成される。
これにより、液晶容量１２０に印加される正極性電圧と負極性電圧とのバランスが崩れ、負極性の電圧実効値が正極性の電圧実効値を上回ることになる。
また、指定値Ｑがプラスの場合は、例えば、正極性で３フレーム、正極性と負極性とに跨る１フレーム、負極性で１フレームの順番で、正負の割合が３．３：１．７となる交流化信号ＦＲが生成される。
よって、データ信号Ｖidも、交流化信号ＦＲの極性に従い、正負が３．３：１．７の割合で生成される。
これにより、正極性の電圧実効値が負極性の電圧実効値を上回ることになる。
また、指定値Ｑがゼロの場合は、従来の交流化信号ＦＲｘが生成される。
また、対向電極電位Ｃomについては、実施形態１と同様に、基準電圧Ｖｃよりも第１の現象（フィールドスルー）に対する補正電圧分シフトして設定されている。
【００９７】
上述した通り、本実施形態によれば、実施形態５における効果に加えて以下の効果を得ることができる。
正極性と負極性とに跨る１フレームにおける極性反転タイミングを垂直同期信号Ｖｓとは非同期の指定値Ｑの値に応じたタイミングとしたことにより、フレーム単位よりも、細かな補正を行うことができる。
例えば、１フレームの期間長を１０分割した場合、２％刻みでの調整を行うことができる。
従って、第２の現象における補正電圧が大きい場合であっても精度良く補正を行うことができる。
【００９８】
（電子機器）
図２６は、上述した電気光学装置１の表示パネル１０をライトバルブとして用いた３板式プロジェクタの構成を示す平面図である。
次に、上述した実施形態に係る電気光学装置を用いた電子機器の例について説明する。
プロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００９９】
ライトバルブ１００Ｒ、１００Ｇおよび１００Ｂの構成は、上述した各実施形態における表示パネル１０と同様であり、外部装置（図示省略）から供給されるＲ、Ｇ、Ｂの各色に対応する画像データでそれぞれ駆動される。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。
ダイクロイックプリズム２１１２において合成されたカラー画像を表す光は、レンズユニット２１１４によって拡大投射され、スクリーン２１２０上にフルカラー画像が表示される。
【０１００】
なお、ライトバルブ１００Ｒ、１００Ｂの透過像がダイクロイックプリズム２１１２により反射した後に投射されるのに対し、ライトバルブ１００Ｇの透過像はそのまま投射されるため、ライトバルブ１００Ｒ、１００Ｂにより形成される画像と、ライトバルブ１００Ｇにより形成される画像とが左右反転の関係になるように設定されている。
【０１０１】
また、電子機器としては、図２６を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの電子機器に対しても、本発明に係る電気光学装置を適用させることができる。
【０１０２】
なお、本発明は上述した実施形態に限定されず、上述した実施形態に種々の変更や改良などを加えることが可能である。変形例を以下に述べる。
【０１０３】
（変形例）
上述した各実施形態においては、ある１行の走査線１１２に沿った画素に対して、階調に応じた電圧を、１列〜６４０列のデータ信号Ｖidを順番にサンプリングすることによって、当該行の画素を１列から６４０列まで順に書き込むという、いわゆる点順次の構成としたが、データ信号を時間軸にｎ（ｎは２以上の整数）倍に伸長するとともに、ｎ本の画像信号線に供給する、いわゆる相展開（シリアル−パラレル変換ともいう）駆動を併用した構成としても良い（特開２０００−１１２４３７号公報参照）。
または、すべてのデータ線１１４に対してデータ信号を一括して供給する、いわゆる線順次の構成としても良い。
これらの駆動方法であっても、各実施形態と同様な作用効果を得ることができる。
また、上記各実施形態では、液晶モードとして、電圧無印加状態において白色を表示するノーマリーホワイトモード、または、電圧無印加状態において黒色を表示するノーマリーブラックモードのいずれか一方を適用した形態について説明したが、異なる他方の液晶モードにおいても適応することができる。
【図面の簡単な説明】
【０１０４】
【図１】実施形態１に係る電気光学装置の概略構成図。
【図２】表示パネルの構成図。
【図３】画素の等価回路図。
【図４】指定値が「０」のときの走査信号系のタイミングチャートを示す図。
【図５】指定値が「−１」のときの走査信号系のタイミングチャートを示す図。
【図６】指定値が「＋１」のときの走査信号系のタイミングチャートを示す図。
【図７】データ信号系の第１フィールドにおけるタイミングチャートを示す図。
【図８】データ信号系の第２フィールドにおけるタイミングチャートを示す図。
【図９】指定値が「０」の場合における、各行の書込状態を連続するフレームに渡る時間経過とともに示した図。
【図１０】指定値が「−１」である場合において、各行の書込状態を連続するフレームに渡る時間経過とともに示した図。
【図１１】指定値が「＋１」である場合において、各行の書込状態を連続するフレームに渡る時間経過とともに示した図。
【図１２】実施形態１の駆動方法による実験データを示すグラフを示す図。
【図１３】実施形態２の駆動方法における走査信号系のタイミングチャートを示す図。
【図１４】指定値が「０」の場合における、各行の書込状態を連続するフレームに渡る時間経過とともに示した図。
【図１５】指定値がマイナスの場合において、各行の書込状態を連続するフレームに渡る時間経過とともに示した図。
【図１６】指定値がプラスの場合において、各行の書込状態を連続するフレームに渡る時間経過とともに示した図。
【図１７】実施形態３の駆動方法における指定値Ｑが「−１」の場合において、各行の書込状態を連続するフレームに渡る時間経過とともに示した図。
【図１８】タイミングＴ２における画面態様図。
【図１９】指定値が「＋１」の場合において、各行の書込状態を連続するフレームに渡る時間経過とともに示した図。
【図２０】タイミングＴ２における画面態様図。
【図２１】（ａ）指定値がマイナスの場合におけるデータ信号の波形図、（ｂ）指定値Ｑがプラスの場合におけるデータ信号の波形図。
【図２２】実施形態４の駆動方法における指定値が「−１」の場合において、各行の書込状態を連続するフレームに渡る時間経過とともに示した図。
【図２３】指定値が「＋１」の場合において、各行の書込状態を連続するフレームに渡る時間経過とともに示した図。
【図２４】実施形態５の駆動方法に係るタイミングチャートを示す図。
【図２５】実施形態６の駆動方法に係るタイミングチャートを示す図。
【図２６】プロジェクタの構成を示す平面図。
【図２７】第２の現象における補正電圧と駆動電圧との関係を示す図。
【符号の説明】
【０１０５】
１…電気光学装置、１０…表示パネル、５０…処理回路、５２…制御回路、５６…表示データ処理回路、６０…電圧生成回路、７０…操作子、１０８…対向電極、１１２…走査線、１１４…データ線、１１６…スイッチングトランジスタとしてのＴＦＴ、１１８…画素電極、１３０…走査線駆動回路、１４０…データ線駆動回路、Ｃom…対向電極電位、Ｑ…指定値、Ｖid…データ信号、Ｖｓ…垂直同期信号。
【図１】
2010079151.tif 000003
【図２】
2010079151.tif 000004
【図３】
2010079151.tif 000005
【図４】
2010079151.tif 000006
【図５】
2010079151.tif 000007
【図６】
2010079151.tif 000008
【図７】
2010079151.tif 000009
【図８】
2010079151.tif 000010
【図９】
2010079151.tif 000011
【図１０】
2010079151.tif 000012
【図１１】
2010079151.tif 000013
【図１２】
2010079151.tif 000014
【図１３】
2010079151.tif 000015
【図１４】
2010079151.tif 000016
【図１５】
2010079151.tif 000017
【図１６】
2010079151.tif 000018
【図１７】
2010079151.tif 000019
【図１８】
2010079151.tif 000020
【図１９】
2010079151.tif 000021
【図２０】
2010079151.tif 000022
【図２１】
2010079151.tif 000023
【図２２】
2010079151.tif 000024
【図２３】
2010079151.tif 000025
【図２４】
2010079151.tif 000026
【図２５】
2010079151.tif 000027
【図２６】
2010079151.tif 000028
【図２７】
2010079151.tif 000029